(57)【要約】【課題】イネ科植物の生育量、特に根の生育量を著しく向上させることができるイネ科植物の生育方法の提供。【解決手段】２価鉄を含む鉄鉱床鉱水中の重金属を除去して１次処理水を得る除去工程と、前記１次処理水を酸化して２次処理水と沈殿を形成させる酸化工程と、前記２次処理水と前記沈殿を固液分離する固液分離工程と、前記２次処理水を中和してから土壌へ散布しイネ科植物を生育する生育工程と、を含むイネ科植物の生育方法である。【選択図】なし【特許請求の範囲】
【請求項１】
２価鉄を含む鉄鉱床鉱水中の重金属を除去して１次処理水を得る除去工程と、
前記１次処理水を酸化して２次処理水と沈殿を形成させる酸化工程と、
前記２次処理水と前記沈殿を固液分離する固液分離工程と、
前記２次処理水を中和してから土壌へ散布しイネ科植物を生育する生育工程と、
を含むことを特徴とするイネ科植物の生育方法。
【請求項２】
前記２価鉄を含む鉄鉱床鉱水は、ｐＨ２．６以上３．７以下である請求項１に記載のイネ科植物の生育方法。
【請求項３】
前記除去工程において、第二鉄塩を用いる請求項１又は２に記載のイネ科植物の生育方法。
【請求項４】
前記第二鉄塩がポリ硫酸第二鉄である請求項３に記載のイネ科植物の生育方法。
【請求項５】
前記酸化工程において、鉄酸化細菌を用いる請求項１から４のいずれかに記載のイネ科植物の生育方法。
【請求項６】
前記酸化工程において、２次処理水は、ｐＨ２．０以上２．５以下である請求項１から５のいずれかに記載のイネ科植物の生育方法。
【請求項７】
前記生育工程において、前記２次処理水に更に有機酸又はその塩を添加する請求項１から６のいずれかに記載のイネ科植物の生育方法。
【請求項８】
前記有機酸が、酢酸、クエン酸、シュウ酸、リンゴ酸及びマロン酸から選択される少なくとも１種である請求項７に記載のイネ科植物の生育方法。
【請求項９】
前記有機酸の塩が、有機酸のカリウム塩、有機酸のナトリウム塩及び有機酸のアンモニウム塩から選択される少なくとも１種である請求項７から８のいずれかに記載のイネ科植物の生育方法。
【請求項１０】
前記生育工程において、２次処理水又は鉄分富有混合液は、ｐＨ５．０以上７．０以下である請求項１から９のいずれかに記載のイネ科植物の生育方法。
【請求項１１】
前記生育工程において、前記２次処理水又は鉄分富有混合液に含まれる鉄量が、５００ｍｇ／Ｌ〜３０００ｍｇ／Ｌである請求項１から１０のいずれかに記載のイネ科植物の生育方法。
【請求項１２】
前記イネ科植物が、芝草である請求項１から１１のいずれかに記載のイネ科植物の生育方法。
【発明の詳細な説明】
【技術分野】
【０００１】
本発明は、イネ、芝草等のイネ科植物の生育方法に関する。
【背景技術】
【０００２】
近年、大気中の炭酸ガス増加は排気ガスやその他の化学物質によるものであり、都市部において著しい。この炭酸ガスの減少には植物の存在が効果的であり、他にも土埃の飛散緩和、騒音の削減、気温の調節、光の反射の減少、アレルギー物質の制御などの効果もあるとして、例えば、グラウンドや公園などへのイネ科植物である芝の生育が注目されている。
このため、本願出願人は、２価鉄を含む鉄鉱床鉱水から得られた鉄分富有殿物を土壌と混合することにより、イネ科植物の生育量及び発芽量を著しく向上させる方法を提案している（例えば、特許文献１参照）。
また、植物根は、土壌から水分や養分を吸収する一方で、有機酸類を放出し土壌中に吸収しにくい形態で存在しているリン酸、鉄、苦土から必須元素を吸収しやすい形態に変換することが知られている。
一方、鉄鉱床鉱水の処理は、前記鉄分富有殿物を得るために、重金属除去後の処理水を２段階で中和し、鉄分富有殿物を凝固、沈殿させて回収する工程が行われており、上澄液である２次処理水は河川へ放流されており、有効活用されていなかった。
【先行技術文献】
【特許文献】
【０００３】
【特許文献１】特開２０１７−１９５８４８号公報
【発明の概要】
【発明が解決しようとする課題】
【０００４】
植物の成長や発芽は、気温、雨量、日射量等の外部環境などにより悪影響を被る場合があり、より影響の大きいイネや芝草等のイネ科植物の生育量を向上できる生育方法の提供が望まれている。
本発明は、このような従来技術の有する課題に鑑みてなされたものであり、イネ科植物の生育量、特に根の生育量を著しく向上させることができるイネ科植物の生育方法を提供することを目的とする。また、本発明は、鉄鉱床鉱水の処理で河川へ放流される２次処理水を有効活用することができるイネ科植物の生育方法を提供することを目的とする。
【課題を解決するための手段】
【０００５】
本発明者は、前記課題を解決すべく鋭意検討を重ねた結果、２価鉄を含む鉄鉱床鉱水から重金属を除去して得られた２次処理水である鉄分富有水を、イネ科植物を生育する土壌に散布することにより、前記課題が解決できることを見出し、本発明を完成するに至った。
すなわち、本発明のイネ科植物の生育方法は、
２価鉄を含む鉄鉱床鉱水中の重金属を除去して１次処理水を得る除去工程と、
前記１次処理水を酸化して２次処理水と沈殿を形成させる酸化工程と、
前記２次処理水と前記沈殿を固液分離する固液分離工程と、
前記２次処理水を中和してから土壌へ散布しイネ科植物を生育する生育工程と、
を含むことを特徴とする。
この場合、
前記２価鉄を含む鉄鉱床鉱水は、ｐＨ２．６以上３．７以下であることが好ましい。
前記除去工程において、第二鉄塩を用いることが好ましい。前記第二鉄塩が、ポリ硫酸第二鉄であることが好ましい。
前記酸化工程において、鉄酸化細菌を用いることが好ましい。
前記酸化工程において、２次処理水は、ｐＨ２．０以上２．５以下であることが好ましい。
前記生育工程において、前記２次処理水に更に有機酸又はその塩を添加することが好ましい。
前記有機酸が、酢酸、クエン酸、シュウ酸、リンゴ酸、及びマロン酸から選択される少なくとも１種であることが好ましい。
前記有機酸の塩が、有機酸のカリウム塩、有機酸のナトリウム塩、及び有機酸のアンモニウム塩から選択される少なくとも１種であることが好ましい。
前記生育工程において、２次処理水又は鉄分富有混合液は、ｐＨ５．０以上７．０以下であることが好ましい。
前記生育工程において、前記２次処理水又は鉄分富有混合液に含まれる鉄量が、５００ｍｇ／Ｌ以上３，０００ｍｇ／Ｌ以下であることが好ましい。
前記イネ科植物が、芝草であることが好ましい。
【発明の効果】
【０００６】
本発明によると、イネ科植物の生育量を著しく向上させることができるイネ科植物の生育方法を提供することができる。
【図面の簡単な説明】
【０００７】
【図１】図１は、原料から鉄分富有な２次処理水を得るまでの作業を示すフロー図である。
【図２】図２は、ペレニアルライグラスを用いた実施例及び比較例の評価結果を示す図である。
【図３】図３は、ベントグラスを用いた実施例及び比較例の評価結果を示す図である。
【発明を実施するための形態】
【０００８】
（イネ科植物の生育方法）
本発明のイネ科植物の生育方法は、除去工程と、酸化工程と、固液分離工程と、生育工程とを含み、更に必要に応じてその他の工程を含む。
【０００９】
本発明のイネ科植物の生育方法においては、イネ科植物を生育（播種も含む）する土壌に、鉄分富有な２次処理水、を散布することで目的とするイネ科植物の根の生育量が増大する。
前記２次処理水は、２価鉄を含む鉄鉱床鉱水中の重金属を除去して１次処理水を得る除去工程と、前記１次処理水を酸化して２次処理水と沈殿を形成させる酸化工程と、前記２次処理水と前記沈殿を固液分離する固液分離工程と、を経て得られる。
【００１０】
＜除去工程＞
前記除去工程は、２価鉄を含む鉄鉱床鉱水中の重金属を除去する工程であり、前記酸化工程の前に行われる。
【００１１】
前記２価鉄を含む鉄鉱床鉱水としては、鉄鉱床の金属鉱山から発生する鉱山廃水などが挙げられる。
前記２価鉄鉱床鉱水中の２価鉄の濃度は、特に制限はなく、２価鉄を含む鉄鉱床鉱水の種類などによって異なり一概には規定できないが、５００ｍｇ／Ｌ以上３０００ｍｇ／Ｌ以下が好ましい。なお、２価鉄の濃度が高すぎる場合には適宜希釈して調整することができる。
【００１２】
前記２価鉄を含む鉄鉱床鉱水としては、２価鉄を含有していれば特に制限はなく、目的に応じて適宜選択することができるが、バクテリア酸化や中和処理を考慮すると該鉱水のｐＨは、２．６以上３．７以下が好ましい。
前記２価鉄を含む鉄鉱床鉱水は、２価鉄以外に重金属を含んでいてもよい。前記重金属としては、例えば、銅、鉛、鉄、亜鉛、マンガン、カドミウム、アンチモン、ウラニウムなどが挙げられる。このような重金属を含む場合は、酸化工程前に除去すればよく、具体的には、第二鉄塩の凝集作用を利用して、重金属を除去できる。
【００１３】
−第二鉄塩−
前記第二鉄塩としては、特に制限はなく、目的に応じて適宜選択することができるが、ポリ硫酸第二鉄が好ましい。
前記ポリ硫酸第二鉄は、式：［Ｆｅ２（ＯＨ）ｎ（ＳＯ４）３−ｎ／２］ｍ〔ただし、式中、ｎ＜２であり、ｍ＞１０である。〕で表される化合物である。
前記ポリ硫酸第二鉄としては、特に制限はなく、適宜合成したものを使用してもよいし、市販品を使用してもよい。前記市販品としては、例えば、ポリテツ（登録商標：日鉄鉱業株式会社製）、バイオフェリック（卯根倉鉱業株式会社製）などが挙げられる。
前記第一鉄及び該第一鉄以外の重金属を含有する硫化鉄鉱床鉱水に前記ポリ硫酸第二鉄を添加すると、水酸化第二鉄（Ｆｅ(ＯＨ)３）が析出し、この析出した水酸化第二鉄が凝集して沈降する。水酸化第二鉄が析出して凝集する際に、第一鉄及び該第一鉄以外の重金属を含有する液中の前記第一鉄以外の、例えば、亜ヒ酸（Ｈ３ＡｓＯ３）等と共沈するなどして、重金属を捕捉するものと考えられる。
【００１４】
前記第二鉄塩としてのポリ硫酸第二鉄の添加量は、特に制限はなく、目的に応じて適宜選択することができるが、前記第一鉄及び該第一鉄以外の重金属を含有する硫化鉄鉱床鉱水に対して、１０ｇ／Ｌ以下が好ましく、０．５ｇ／Ｌ以上１０ｇ／Ｌ以下がより好ましく、１ｇ／Ｌ以上５ｇ／Ｌ以下が更に好ましい。
前記添加量が、０．５ｇ／Ｌ未満であると、第一鉄以外の重金属の除去効果が低下してしまうことがあり、１０ｇ／Ｌを超えると、アルカリ消費量が多くなり、コストが高くなってしまう。
【００１５】
前記第二鉄塩を添加した後、アルカリを加えてｐＨ３．２以上とし、該ｐＨ３．２以上の状態を保持しながら水酸化第二鉄の沈殿を形成させ、固液分離により該水酸化物沈殿を除去する。
前記ｐＨが、３．２未満であると、第一鉄以外の重金属の除去能力が低下してしまうことがあり、ｐＨが４．５を超えると、第一鉄の殿物の量が徐々に増加し、ｐＨが６以上になると澱物の発生量が急激に増加するので、ｐＨ３．６以上４．５以下がより好ましい。前記ｐＨが、前記より好ましい範囲であると、第一鉄以外の重金属の除去の観点から有利である。
【００１６】
前記ｐＨは、例えば、市販のｐＨメーターにより測定することができる。
前記アルカリとしては、特に制限はなく、目的に応じて適宜選択することができ、例えば、苛性ソーダ（ＮａＯＨ）、苛性カリ（ＫＯＨ）；石灰、生石灰（ＣａＯ）、消石灰（Ｃａ（ＯＨ）２）、炭酸カルシウム等のカルシウム（Ｃａ）系アルカリ剤；酸化マグネシウム、水酸化マグネシウム等のマグネシウム（Ｍｇ）系アルカリ剤などが挙げられる。これらは、１種単独で使用してもよいし、２種以上を併用してもよい。
【００１７】
＜酸化工程＞
前記酸化工程は、２価鉄を含む１次処理水（鉄鉱床鉱水）を酸化して２次処理水（酸化処理後液）と沈殿を形成させる工程である。
【００１８】
前記酸化処理としては、前記２価鉄を含む鉄鉱床鉱水中に含まれる２価の鉄イオンを、３価の鉄イオンに酸化することができれば、特に制限はなく、目的に応じて適宜選択することができ、例えば、酸化剤の添加による酸化処理、空気、酸素ガス、オゾンなどの曝気、又は過酸化物による化学酸化処理、鉄酸化細菌による生物酸化処理などが挙げられる。これらの中でも、鉄酸化細菌による生物酸化処理が好ましい。
【００１９】
ここで、前記鉄酸化細菌の添加は、一度に行ってもよいが、数回に分けて行ってもよい。
また、連続酸化処理を行う場合には、鉄酸化細菌を適宜補充することが好ましい。鉄酸化細菌の添加及び補充方法としては、鉄酸化細菌を用いたバクテリア酸化処理により生成する鉄酸化物を回収し、返送する方法が好適である。
前記鉄酸化細菌による２価鉄の酸化反応は、以下の式で表される。
【化１】
2020195348.tif 000002
【００２０】
前記鉄酸化細菌としては、２価鉄含有水中で酸化力を有するものであれば特に制限はなく、目的に応じて適宜選択することができ、例えば、チオバチルス・フェロオキシダンス（Ｔｈｉｏｂａｃｈｉｌｌｕｓ ｆｅｒｒｏｏｘｉｄａｎｓ）などが挙げられる。これらの中でも、チオバチルス・フェロオキシダンスが特に好ましい。
前記チオバチルス・フェロオキシダンスは、ｐＨ２〜３で生息し、酸化活性を有するので、ｐＨが低い環境下で２価鉄を３価鉄まで迅速に酸化することができる。そして、３価鉄をｐＨ３〜４として水酸化第二鉄として沈殿除去し、回収することができる。このｐＨでは、２価鉄含有水中に含まれる亜鉛、錫等の金属は水酸化物を作らないので、鉄のみを分離して回収できる。
前記チオバチルス・フェロオキシダンスは、排水処理におけるシックナー槽などで発生する沈降殿物泥中に生息しているので、沈降殿物泥をそのまま添加することで鉄酸化細菌を添加することができる。
前記鉄酸化細菌の前記２価鉄含有水中への添加量は、２価鉄含有水中の２価鉄の濃度などに応じて適宜選択することができ、例えば、反応槽内部のスラッジを６０分間沈降させた時の安定堆積（ＳＶ６０）が１０ｖ／ｖ％以上２０ｖ／ｖ％以下となるように添加することが最適である。
【００２１】
前記２価鉄を含む鉄鉱床鉱水は、ｐＨ２．６以上３．７以下の範囲にあれば、前記酸化処理により得られる３価の鉄イオンが、前記沈殿物として溶液中に析出され、例えば、生物酸化処理及びその後の中和処理によって生成する鉄分富有殿物は、下記一般式（１）で表されるシュベルトマナイトとなる。
【００２２】
【化１】
2020195348.tif 000003
ただし、前記一般式（１）中、Ｘは、１≦Ｘ≦１．７５である。
【００２３】
前記鉄酸化細菌を使用する際は、曝気処理を行うことが好ましい。前記曝気とは、前記２価鉄を含む鉄鉱床鉱水を空気に曝し、該鉄鉱床鉱水中に空気を供給することを意味し、例えば、ブロワなどにより空気を鉄酸化槽内にそのまま吹き込むことを意味する。
前記ブロワ（送風機）としては、空気に圧力をかけて送り出すことができるものであれば特に制限はなく、目的に応じて適宜選択することができるが、吐出圧が０．１ｋｇｆ／ｃｍ２以上１．０ｋｇｆ／ｃｍ２以下のものが好ましい。
前記ブロワによる空気量は、処理水量と含有２価鉄濃度により決まる。空気量の効率は、０．３〜３ｍ３（ａｉｒ）／ｍ３(鉱水)／ｍｉｎ／ｋｇ−Ｆｅ（ＩＩ）が好ましい。
前記効率が、０．３ｍ３（ａｉｒ）／ｍ３(鉱水)／ｍｉｎ／ｋｇ−Ｆｅ（ＩＩ）未満であると、鉄酸化細菌による鉄の酸化に必要な空気を補えなく、かつ鉄酸化槽内部のスラッジを混合できないため鉄を完全に酸化できなくなることがあり、３ｍ３（ａｉｒ）／ｍ３(鉱水)／ｍｉｎ／ｋｇ−Ｆｅ（ＩＩ）を超えると、余剰な曝気により動力費が嵩むことがある。
【００２４】
前記曝気を行いながら撹拌を行うことが好ましい。前記鉱水に添加した鉄酸化細菌の状態によっては、撹拌を行わず曝気のみを行ってもよい。
前記撹拌に用いる撹拌機としては、曝気による空気をせん断できればよく、インペラ（撹拌翼）を有する撹拌機が好ましい。前記撹拌機としては、空気をせん断するためのインペラと、該鉱水を撹拌するためのインペラとに機能別としたものを用いてもよい。前記インペラとしては、例えば、プロペラ型、タービン型などが挙げられる。
【００２５】
前記撹拌機のインペラの回転により曝気で導入した空気をせん断し、気泡化すると共に、生じた乱流により該鉱水の撹拌が行われ、発生した気泡が鉄酸化槽内に拡散される。
本発明においては、撹拌機の撹拌によるせん断力で空気を気泡化するため、大小さまざまな直径の気泡が生じる。大径気泡は鉄酸化槽内の沈殿物と該鉱水の撹拌を促進する。一方、小径気泡は鉄酸化細菌の栄養、又は鉄酸化に寄与する。前記気泡が小さすぎると、沈殿物が巻き上がらず、酸化効率が悪くなることがあり、前記気泡が大きすぎると、鉄酸化細菌への酸素供給効率が悪くなることがある。
前記撹拌機の回転数は、１００ｒｐｍ以上５００ｒｐｍ以下が好ましく、１５０ｒｐｍ以上３００ｒｐｍ以下がより好ましい。前記回転数が、１００ｒｐｍ未満であると、空気のせん断が不十分となり、溶存酸素の増加が低下する結果となることがあり、５００ｒｐｍを超えると、鉄酸化槽内部の沈殿物をせん断し、発生殿物の沈降性を低下させるため、沈殿物の回収に大型の設備を要する結果となることがある。
【００２６】
以上のように、ブロワによる曝気及び曝気をしつつ、撹拌機による撹拌を行うことにより、ブロワから吹き出される空気を大小さまざまな直径の気泡にせん断でき、該鉱水の溶存酸素濃度を上昇させ、鉄酸化細菌による酸化効率を向上させることができる。
前記酸化工程後の酸化処理後液（２次処理水）は、ｐＨ２．０以上２．５以下が好ましく、ｐＨ２．３以上２．５以下がより好ましい。
【００２７】
＜固液分離工程＞
前記固液分離工程は、前記２次処理水（酸化処理後液）と前記鉄分富有殿物を固液分離する工程である。
前記固液分離手段としては、例えば、フィルタープレス、真空脱水機、ベルトプレス、スクリュープレス、スクリューデカンタ、多重円板脱水機など既存の装置を適宜選択して使用できる。
【００２８】
＜生育工程＞
前記生育工程は、前記２次処理水を中和してからイネ科植物を生育する土壌へ散布する工程である。固液分離工程で得られた前記２次処理水を土壌と混合することにより、鉄分富有土壌を得てイネ科植物の生育（播種）を行う。
前記２次処理水の土壌への散布は、土壌に散布後に表面から３０ｃｍ程度までを掻き混ぜてもよいし、水で濃度調整した後に土壌へ散布して表面から浸み込ませてもよい。前記土壌との混合深さや浸透深さは、イネ科植物に与えたい前記２次処理水の生育効果に応じて適宜設定できる。
【００２９】
また、中和前の２次処理水と、有機酸又はその塩とを混合して鉄分富有混合液を得てから、この鉄分富有混合液を中和し散布することもできる。この場合は、イネ科植物の生育量をより向上させることができるので好ましい。
この有機酸としては、例えば、ギ酸、酢酸、クエン酸、シュウ酸、リンゴ酸、マロン酸、ピンジン酸、ムギネ酸などが挙げられる。これらの中でも、酢酸、クエン酸、シュウ酸、リンゴ酸、マロン酸が好ましく、クエン酸が特に好ましい。また、有機酸の塩としては、例えば、有機酸のカリウム塩、有機酸のナトリウム塩、有機酸のアンモニウム塩などが挙げられる。
【００３０】
前記生育工程において、２次処理水又は鉄分富有混合液は、ｐＨ５．０以上７．０以下であることが好ましい。対象とする土壌の性状、イネ科植物の種類、地域の天候などを考慮して、前記ｐＨ範囲内で適宜調整することが好ましい。ｐＨが５．０未満であると、土壌を酸性にしすぎることでリンなどの栄養素の吸収力を低下させてしまうことがあり、ｐＨが７．０を超えると、土壌をアルカリ性にしすぎることでリン酸が不溶化し鉄やマンガンなどのヨウ素欠乏症を引き起こすおそれがある。
【００３１】
前記２次処理水又は鉄分富有混合液に含まれる鉄量は、５００ｍｇ／Ｌ〜３０００ｍｇ／Ｌとすることが好ましい。前記鉄量が、５００ｍｇ／Ｌ未満であると、生育量の向上が発揮されないことがあり、３０００ｍｇ／Ｌを超えても更なる効果が望めないことがある。
前記２次処理水又は鉄分富有混合液の土壌に対する添加量は、例えば、液中の鉄量が１０００ｍｇ／Ｌ〜１５００ｍｇ／Ｌである場合は、１００ｍＬ／ｍ２〜２Ｌ／ｍ２であることが好ましく、５００ｍＬ／ｍ２〜１Ｌ／ｍ２がより好ましい。前記添加量が、１００ｍＬ／ｍ２未満であると、生育量の向上が発揮されないことがあり、２Ｌ／ｍ２を超えても更なる効果が望めないことがある。
なお、前記２次処理水又は鉄分富有混合液とともに、鉄分富有殿物、固着剤、展着剤等をそれらの有する特徴を付加する目的で混合することもできる。
【００３２】
前記生育工程は、前記２次処理水又は鉄分富有混合液を土壌へ散布してイネ科植物を生育する工程である。このようにイネ科植物を生育することで、イネ科植物の生育量が著しく向上する。
前記イネ科植物とは、植物分類学上のイネ科に属する植物をいい、例えば、イネ、コムギ、ライコムギ、ライムギ、オオムギ、オートムギ、トウモロコシ、アワ、ヒエ、芝草などが挙げられる。これらの中でも、芝草が特に好ましい。
前記芝草は、日本芝と西洋芝に大別される。前記日本芝としては、例えば、ノシバ、コウライシバ、ヒメコウライシバなどが挙げられる。前記西洋芝としては、例えば、バミューダグラス、ティフトン、ウィーピングラブグラス、ライグラス、ペレニアルライグラス、ベントグラスなどが挙げられる。なお、イネ科植物以外の水草や観賞用植物などにも生育効果を発揮させることが期待できる。
前記イネ科植物の生育方法としては、特に制限はなく、イネ科植物の種類、量などに応じて適宜選択することができるが、普通の行われている方法により行うことができる。
【実施例】
【００３３】
以下、本発明を実施例により更に詳述するが、本発明はこれらの実施例に限定されるものではない。
【００３４】
（実施例１）
表１に示す組成及びｐＨの硫化鉄鉱床の鉱水を用い、図１に示す工程フローにより、２次処理水又は鉄分富有混合液を製造した。
まず、硫化鉄鉱床の鉱水に２８℃で、第二鉄塩としてのポリ硫酸第二鉄（バイオフェリック、卯根倉鉱業株式会社製）を０．７ｇ／Ｌ添加した。ポリ硫酸第二鉄を含む排水を撹拌し、次いで、４８質量％苛性ソーダを添加しながら、ｐＨを３．６とした。ｐＨ３．６の状態を保持しながら水酸化第二鉄の沈殿を形成させ、シックナー槽により殿物スラリーと上澄液（１次処理水）とに分離することで、Ｃｄ、Ｃｒ、Ａｓ等の重金属を除去した（除去工程）。なお、ｐＨは、ｐＨメーター（株式会社堀場製作所製、ＨＯＲＩＢＡ  ９６２５−１０Ｄ）を用いて測定した。
【００３５】
【表１】
2020195348.tif 000004
【００３６】
次に、前記１次処理水の酸化処理に、主としてチオバチルス・フェロオキシダンス（Ｔｈｉｏｂａｃｈｉｌｌｕｓ ｆｅｒｒｏｏｘｉｄａｎｓ）を含む鉄酸化細菌を用い、前記除去工程後の１次処理水に含まれる２価鉄を３価鉄に酸化した（酸化工程）。このとき出力７．５ｋＷのブロワを用いて９．６ｍ３／ｍｉｎで９０分間の曝気を行った。
次に、酸化処理後の溶液をシックナー槽により上澄液（２次処理水）とバクテリア酸化殿物スラリーとに分離した（固液分離工程）。この２次処理水のｐＨは２．４であった。
【００３７】
次に、前記酸化工程後の２次処理水に炭酸カルシウムを添加してｐＨ４．２とする１次中和処理を行い、懸濁液を得た。続けて、１次中和処理後の懸濁液に水酸化ナトリウム水溶液を添加してｐＨ６．０とする２次中和処理を同一槽内で行った。このとき出力１５ｋＷのブロワを用いて６．８５ｍ３／ｍｉｎで曝気を行いながら調整した。
その後、シックナー槽で沈殿物を除去し、中和された２次処理水を得た。
【００３８】
得られた２次処理水の組成を下記表２に示した。
【表２】
2020195348.tif 000005
【００３９】
イネ科植物の１つである寒地型芝草のペレニアルライグラスとベントグラスを試験対象とした。
ペレニアルライグラスは、砂を充填した９．０ｃｍポットに４０ｇ／ｍ２で播種し、３葉期まで生育させた。
ベントグラスは、２０１６年１１月に播種したものを生産圃場より穴あけカッターにて直径（φ）８．０ｃｍ、厚さ約２．０ｃｍに採取した供試体を、９．０ｃｍポットに移植した。
２次処理水は鉄量を５００ｍｇ／Ｌに調整して、初回と３０日後の２回に分けて、１Ｌ／ｍ２散布し、播種（移植）後５４日間経過後の地上部、根を採取し、７０℃で７２時間乾燥させた後、地下部（根）と地上部の乾物重量を測定した。この結果を表３に示す。
【００４０】
（実施例２）
２次処理水に有機酸として、７０．０５ｍｇ／Ｌ（ｐｐｍ）のクエン酸を含むように混合した混合液を散布した以外は、実施例１と同様の操作を繰り返して、本例の生育を行い、
乾物重量の測定を行った。
【００４１】
（実施例３）
２次処理水に有機酸として、１，０５０ｍｇ／Ｌ（ｐｐｍ）の酢酸を含むように混合した混合液を散布した以外は、実施例１と同様の操作を繰り返して、本例の生育を行い、乾物重量の測定を行った。
【００４２】
（比較例１）
２次処理水を散布しなかった以外は、実施例１と同様の操作を繰り返して、本例の生育を行い、乾物重量の測定を行った。
【００４３】
（比較例２）
２次処理水に代えて、クエン酸７０．０５ｍｇ／Ｌのみを散布した以外は、実施例１と同様の操作を繰り返して、本例の生育を行い、乾物重量の測定を行った。
【００４４】
【表３】
2020195348.tif 000006
【００４５】
表３に示すように、２次処理水又は鉄分富有混合液を用いた場合（実施例１〜３）は、何も散布しない場合（比較例１）に比べて、ペレニアルライグラス及びベントグラスの乾物重量がともに大きくなっていたことから、イネ科植物の生育量を著しく向上できることがわかった。
また、ペレニアルライグラスにおいては、２次処理水とクエン酸との混合液（実施例２）は、クエン酸のみ（比較例２）に比べて、生育量が向上することがわかった。
また、ペレニアルライグラスにおいては、幹（ｔｒｕｎｋ）と根（ｒｏｏｔ）の比率［（地上部（幹）の乾物重量／地下部（根）の乾物重量］であるＴＲ率が、２次処理水又は鉄分富有混合液を散布した場合に低下していることから、特に根の生育効果が大きいことがわかった。
【図１】
2020195348.tif 000007
【図２】
2020195348.tif 000008
【図３】
2020195348.tif 000009